(57)【要約】【課題】  歯科医療用の接写撮影において、歯列が均等な明るさになるように、かつ患者に不快感を与えることなく効率的に照明する照明装置を提供する。【解決手段】  デジタルカメラのレンズ鏡筒の周囲に取付けられる照明装置は、被写体側に向かって先細いテーパ状の導光部材１６を含む。導光部材１６は、レンズ鏡筒の中心軸Ｅに垂直な照射面２２と、中心軸に平行な内周面２４を有する。光源部１４には、第１〜第１６ＬＥＤ１５Ａ〜１５Ｐが、異なる間隔で実装基板１７に配置されており、照射面２２の水平領域Ｈ、内周面２４の水平領域Ｈに接する領域から照射される照明光の光量は、垂直領域Ｖ、及び内周面２４の垂直領域Ｖに接する領域からの光量よりも大きい。照明装置は、垂直領域Ｖに近い前歯と、水平領域Ｈに近く前歯よりも暗い奥歯とを含む歯列が、全体的に均等な明るさになるように、かつ患者の口の周辺部のみを照明する。【選択図】        図４
2005331785.tif 000002
【特許請求の範囲】
【請求項１】
レンズ鏡筒の外周に設けられる照明装置であって、
前記レンズ鏡筒側から被写体側に向けて照明光を放射する、環状に配置された複数の光源を備え、
前記複数の光源が、異なる間隔で配置されていることを特徴とする照明装置。
【請求項２】
前記照明装置が、前記レンズ鏡筒に着脱自在に取付けられることを特徴とする請求項１に記載の照明装置。
【請求項３】
前記複数の光源を備えた光源部が、前記光源が所定の間隔で配置された領域である短間隔領域と、前記光源が前記所定の間隔よりも長い間隔で配置された領域である長間隔領域とを２つずつ有し、２つの前記短間隔領域と２つの前記長間隔領域とがそれぞれ相対する位置にあることを特徴とする請求項１に記載の照明装置。
【請求項４】
筒状で、かつ前記レンズ鏡筒の中心軸方向にて、前記光源から被写体側の先端部に向けて径方向寸法が小さくなるテーパ状をなし、入射する前記照明光を被写体側に向けて導く導光部材と、
前記導光部材の外周面を覆うように配置され、前記導光部材を透過した前記照明光を反射する反射部材とをさらに有することを特徴とする請求項１に記載の照明装置。
【請求項５】
前記導光部材が、被写体側の端部に照射面を有し、前記照明装置の取付け時において、前記照射面のうち前記中心軸から略水平方向に離れた水平領域に向けて前記照明光を放射する前記光源が、前記中心軸から略垂直方向に離れた領域である垂直領域に向けて前記照明光を放射する前記光源よりも短い間隔で配置されていることを特徴とする請求項４に記載の照明装置。
【請求項６】
前記導光部材の前記被写体側の先端部が、前記レンズ鏡筒の中心軸方向において、前記反射部材よりも突出したフランジ部を有することを特徴とする請求項４に記載の照明装置。
【請求項７】
前記導光部材が、前記光源から入射する照明光を拡散させる拡散性材料で構成されていることを特徴とする請求項４に記載の照明装置。
【請求項８】
前記導光部材の内周面が、前記レンズ鏡筒の中心軸に略平行であることを特徴とする請求項４に記載の照明装置。
【請求項９】
前記照明装置の被写体側の先端部の内径が、前記レンズ鏡筒の内径と略等しいことを特徴とする請求項１に記載の照明装置。
【発明の詳細な説明】
【技術分野】
【０００１】
本発明は、接写撮影用の照明装置に関し、特に、人の歯列を接写撮影する歯科医療用の照明装置に関する。
【背景技術】
【０００２】
一般に、歯科医療用に人の歯列を接写撮影する場合、接写に適したリングストロボが使用される場合がある（例えば特許文献１）。リングストロボは、撮影装置のレンズ鏡筒の外周に取付けられ、患者の口元に光を照射する。
【特許文献１】特開２００１−３５６４０３号公報（図１）
【発明の開示】
【発明が解決しようとする課題】
【０００３】
患者の歯列の撮影においてリングストロボを用いると、顔面全般が照明され、照明光の眩しさや、熱などにより、患者に不快感を与える場合がある。リングストロボの発光面が大きい場合、接写撮影において、患者に威圧感を与える場合もある。さらにリングストロボが、撮影には関係のない範囲まで照明することによって、効率的に照明できず、無駄な電力消費につながる場合がある。
【０００４】
また、歯列の接写撮影では、撮影装置からの距離が短く、自然光のもとでも比較的明るい前歯と、撮影装置からの距離が長く、暗い奥歯とを均等な明るさに照明することができず、前歯の輝度が適当になるように撮影した場合、奥歯の輝度が不足する場合がある。
【０００５】
本発明は、歯科医療のための接写撮影において、歯列が均等な明るさになるように、なおかつ患者に不快感を与えることなく効率的に歯列を照明する照明装置など、明るい領域と暗い領域を有する被写体を均等な明るさに、かつ撮影に必要な範囲のみを効率的に、照明する照明装置を提供することを目的とする。
【課題を解決するための手段】
【０００６】
本発明の照明装置は、レンズ鏡筒の外周に設けられ、レンズ鏡筒側から被写体側に向けて照明光を放射する、環状に配置された複数の光源を備えている。そして、複数の光源は、異なる間隔で配置されている。
【０００７】
照明装置は、着脱自在にレンズ鏡筒に取付けられることが好ましい。
【０００８】
照明装置は、複数の光源を備えた光源部を有し、光源部は、例えば、光源が所定の間隔で配置された領域である短間隔領域と、光源が所定の間隔よりも長い間隔で配置された領域である長間隔領域とを２つずつ有し、２つの短間隔領域と２つの長間隔領域とはそれぞれ相対する位置にある。
【０００９】
照明装置は、筒状で、かつレンズ鏡筒の中心軸方向にて、光源から被写体側の先端部に向けて径方向寸法が小さくなるテーパ状をなし、入射する照明光を被写体側に向けて導く導光部材と、導光部材の外周面を覆うように配置され、導光部材を透過した照明光を反射する反射部材とをさらに有することが好ましい。
【００１０】
導光部材は、被写体側の端部に照射面を有することが好ましく、照明装置の取付け時において、照射面のうち中心軸から略水平方向に離れた水平領域に向けて照明光を放射する光源が、中心軸から略垂直方向に離れた領域である垂直領域に向けて照明光を放射する光源よりも短い間隔で配置されることが好ましい。
【００１１】
導光部材の被写体側の先端部は、レンズ鏡筒の中心軸方向において、反射部材よりも突出したフランジ部を有することが好ましい。また、導光部材は、光源から入射する照明光を拡散させる拡散性材料で構成されていることが望ましい。そして、導光部材の内周面は、レンズ鏡筒の中心軸に略平行であることが好ましい。
【００１２】
照明装置の被写体側の先端部の内径は、レンズ鏡筒の内径と略等しいことが望ましい。
【発明の効果】
【００１３】
本発明によれば、接写撮影において、歯列が均等な明るさになるように、なおかつ患者の口元のみに照明光を照射して患者に不快感を与えることなく効率的に照明する照明装置を提供できる。
【発明を実施するための最良の形態】
【００１４】
以下、本発明の実施形態を、図面を参照して説明する。図１は、照明装置とデジタルカメラとを示す斜視図である。
【００１５】
本実施形態における照明装置１０は、デジタルカメラ３０の撮影光学系（図示せず）を内包したレンズ鏡筒３２の外周部の先端に着脱自在に取付けられ、使用される。レンズ鏡筒３２は、一眼レフカメラ用の交換レンズと略同じ径を有する。照明装置１０は、筒状であって、被写体側に向かって細くなるテーパ状である。照明装置１０の光源として、リング状に配置された複数のＬＥＤ（図示せず）が用いられており、光源には、接続コード４２を介して照明装置１０と電気的に接続された電源ユニット４０から、電源が供給される。
【００１６】
図２は、照明装置１０と電源ユニット４０とを示す斜視図である。
【００１７】
照明装置１０は、取付け部１２を介して、着脱自在にレンズ鏡筒３２に取付けられる。電源ユニット４０は、デジタルカメラ３０に設けられた三脚の取付け穴（図示せず）に螺合する螺子４４を介して、デジタルカメラ３０に取付けられる。ユーザは、螺子４４に連動するダイヤル４６を操作することにより、電源ユニット４０を着脱する。
【００１８】
図３は、レンズ鏡筒３２に取付けられた状態の照明装置１０の断面図である。
【００１９】
照明装置１０は、照明光を放射する複数のＬＥＤを備えた光源部１４、導光部材１６及び反射部材１８を備える。光源部１４は、レンズ鏡筒３２側から被写体側に向けて照明光を放射し、照明光の光路を妨げないために、照明装置１０のレンズ鏡筒３２側の端部近傍、すなわち取付け部１２の近傍に配置される。導光部材１６は、筒状であって、かつレンズ鏡筒３２の中心軸方向にて、光源部１４側から被写体側に向かって細くなるテーパ状に形成されている。導光部材１６は、光源部１４に接しており、照明光を拡散させる拡散性の材料によって形成されている。このため、光源部１４が放射した照明光を、被写体側に向けて導光する。反射部材１８は、導光部材１６の外周面を覆うように、導光部材１６と同軸的に筒状かつテーパ状に形成され、導光部材１６を透過した照明光を反射する。  
【００２０】
導光部材１６中の矢印は、導光部材１６中での照明光の光路を例示している。光源部１４から放射された照明光は、その一部を除き、反射部材１８の表面において反射されることにより、透過性の導光部材１６中を拡散されながら導光される。その結果、導光部材１６の内周面２４から、反射部材１８によって反射された照明光が、デジタルカメラ３０のレンズ鏡筒の中心軸Ｅに向かう方向に射出される（矢印Ａ参照）。なお、矢印Ａは、照明光の射出方向を例示するものであり、内周面２４からの照明光は、実際には様々な角度で、中心軸Ｅに向かいつつ被写体側に進むように、射出される。また、中心軸Ｅは、撮影光学系３４の光軸と一致する。
【００２１】
導光部材１６は、被写体側の先端部にフランジ部２０を有する。フランジ部２０は、レンズ鏡筒の中心軸Ｅ方向において、反射部材１８の被写体側の端部より突出している。フランジ部２０の先端には、中心軸Ｅに垂直な照射面２２が設けられている。そして、照射面２２からは、光源部１４からの照明光のうち、反射部材１８の表面において反射されない照明光が主に射出される。このため、照射面２２から射出される照明光の一部は、中心軸Ｅに平行な方向に沿って進む。さらに、照明光が導光部材１６によって拡散されていることから、照射面２２からの照明光の一部は、中心軸Ｅから離れるように、中心軸Ｅに対して照射角αを有する方向に沿って射出される（矢印Ｂ参照）。矢印Ｂも、照射光の射出方向を例示するものである。なお、フランジ部２０は、照射面２２のみならず、照明装置１０の外面の先端部を形成する外周面２３を有し、少し離れて撮影したときに写り込む照明領域と非照明領域の境目を目立たなくするために、外周面２３からも照明光がわずかに射出される。
【００２２】
また、導光部材１６が、反射部材１８によって反射されない照明光の一部を、照射面２２から中心軸Ｅに略平行な方向に射出するために、光源部１４は、内周面２４に近くなるように配置されている。内周面２４は中心軸Ｅに平行であり、照明装置１０の被写体側の先端部における内径は、レンズ鏡筒３２の内径に略等しい。さらに、導光部材１６と反射部材１８とが、被写体側に向かって細くなるテーパ状であることから、照射面２２から照射される照明光は、広い範囲に渡って照射されず、中心軸Ｅに対する照射角αは、小さい角度に抑えられる。
【００２３】
図４は、光源部１４と導光部材１６とを示す斜視図である。なお、光源部１４と導光部材１６の光源取付け面２６とは、実際には互いに接しているものの、それぞれの形状を明確に示すため、図４は、これらが分離した状態を示す。図５は、光源部１４を示す上面図である。図６は、歯列の撮影における光源部１４および照射面２２と、歯列との位置関係を概略的に示す図である。
【００２４】
光源部１４は、第１〜第１６ＬＥＤ１５Ａ〜１５Ｐと、円環状の実装基板１７を備える。第１〜第１６ＬＥＤ１５Ａ〜１５Ｐは、実装基板１７上に異なる間隔で取付けられている。すなわち、照射面２２の水平領域Ｈに向けて照明光を放射する第２〜第８ＬＥＤ１５Ｂ〜１５Ｈ及び第１０〜第１６ＬＥＤ１５Ｊ〜１５Ｐは、それぞれ間隔Ｄ1を隔てて配置され、垂直領域Ｖに照明光を放射する第１、第２及び第１６ＬＥＤ１５Ａ、１５Ｂ、１５Ｐ、第８〜第１０ＬＥＤ１５Ｈ〜１５Ｊは、いずれも間隔Ｄ1よりも長い間隔Ｄ2を隔てて配置されている（図５参照）。そして、２つの水平領域Ｈは、実装基板１７の中心を隔てて互いに相対する位置にあり、２つの垂直領域Ｖについても同様である。
【００２５】
第１〜第１６ＬＥＤ１５Ａ〜１５Ｐは、それぞれ同じ光量の照明光を放射する。いずれのＬＥＤからの照明光も、導光部材１６によって拡散されつつ導光される。この結果、導光部材１６による拡散の後に、照射面２２の水平領域Ｈから被写体に向けて照射される照明光の光量は、垂直領域Ｖからの光量よりも大きい。さらに、内周面２４についても同様に、水平領域Ｈに接する領域からの照明光の光量は、垂直領域Ｖに接する領域からの光量よりも大きくなる。
【００２６】
第１〜第１６ＬＥＤ１５Ａ〜１５Ｐは、実装基板１７に沿って配設された第１ワイヤ２７、及び第２ワイヤ２８によって電気的に接続されている。第１ワイヤ２７は陽極用であり、第２ワイヤ２８は陰極用である。第１〜第１６ＬＥＤ１５Ａ〜１５Ｐは、第１及び第２ワイヤ２７、２８と接続コード４２を介して、電源ユニット４０から電源供給される（図１参照）。
【００２７】
照明装置１０は、照射面２２の水平領域Ｈが、中心軸Ｅから略水平方向に離れた領域、すなわち奥歯の近傍に位置し、垂直領域Ｖが、中心軸Ｅから略垂直方向に離れた領域、すなわち前歯の上下付近に位置するように、レンズ鏡筒３２に取付けられる（図６参照）。このため、自然光の届きにくい奥歯に照射される照明光の光量は、前歯に照射される照明光の光量よりも大きくなり、照明装置１０は、全体的に均等な明るさになるように歯列を照明する。
【００２８】
図７は、デジタルカメラ３０と共に使用される照明装置１０を示す側面図である。
【００２９】
照明装置１０は、照射面２２が対向する被写体の表面であって、照射面２２よりもやや広い領域を照明する。そして、本実施形態においては、導光部材１６の形状等が歯列の接写に適するように調整されているため、照明装置１０は、接写時に、患者の目には照明光を照射せず、口を含む鼻より下の照明領域４８のみを照明する。必要な範囲のみを照明し、さらに発光効率の高いＬＥＤを光源として用いることから、照明装置１０は、電力消費を抑えた効率的な照明を可能にする。
【００３０】
以上のように、本実施形態によれば、接写撮影において、歯列がほぼ均等な明るさになるように照明し、なおかつ患者の口元のみに照明光を照射して、患者に不快感を与えず効率的に照明する照明装置が実現できる。
【００３１】
光源部１４は、発光効率が高く、継続して照明光を放射できるＬＥＤを含むことが好ましいが、これに限定されない。例えば、キセノンランプを用いて照明光を放射しても良い。また、ＬＥＤの数や配置間隔も本実施形態に限定されない。
【００３２】
照射面及び内周面を含む導光部材等の大きさ、形状は、歯列の接写に適当である限り、本実施形態に限定されない。
【００３３】
電源ユニット４０は、接続コード４２を介さずに、照明装置１０と接しながら電源供給しても良い。この場合、電源ユニット４０は、例えば、光源部１４の近傍で、レンズ鏡筒３２を覆うように設置される。
【図面の簡単な説明】
【００３４】
【図１】照明装置とデジタルカメラとを示す斜視図である。
【図２】照明装置と電源ユニットとを示す斜視図である。
【図３】レンズ鏡筒に取付けられた状態の照明装置の断面図である。
【図４】分離した状態での光源部と導光部材とを示す斜視図である。
【図５】光源部を示す上面図である。
【図６】歯列の撮影における光源部および照射面と、歯列との位置関係を示す図である。
【図７】デジタルカメラと共に使用される照明装置を示す側面図である。
【符号の説明】
【００３５】
１０  照明装置
１２  取付け部
１４  光源部
１５Ａ〜１５Ｐ  第１〜第１６ＬＥＤ（光源）
１６  導光部材
１８  反射部材
２０  フランジ部
２２  照射面
２４  内周面
３０  デジタルカメラ（撮影装置）
３２  レンズ鏡筒
３４  撮影光学系
Ｅ  中心軸
Ｖ  垂直領域（長間隔領域）
Ｈ  水平領域（短間隔領域）
【図１】
2005331785.tif 000003
【図２】
2005331785.tif 000004
【図３】
2005331785.tif 000005
【図４】
2005331785.tif 000006
【図５】
2005331785.tif 000007
【図６】
2005331785.tif 000008
【図７】
2005331785.tif 000009